(57)【要約】【課題】額縁内で保持する作品を安定して掲示することができ、また掲示する作品に対応して縦型にも横型にも使用することができるとともに、上品さや高級感も備えた両面掲示可能な額縁を提供する。【解決手段】枠状に形成された額縁フレーム１と、その額縁フレーム１の枠内に嵌着される２枚の透明板４，４と、額縁フレーム１の所定位置に取り付けられる係止部材７とを備え、２枚の作品を表裏両面で掲示可能に設けた額縁において、前記額縁フレーム１を外枠２と内枠３による二重枠状に形成するとともに、その左右側辺部３３，３４に貫設された支軸５を支点として、前記内枠３を所定範囲内で回動可能に形成し、またその内枠３の上辺部３１に、透明板や作品の挿入口１０を設けた構成とする。【選択図】図１
2005211610.tif 000002
【特許請求の範囲】
【請求項１】
枠状に形成された額縁フレームと、その額縁フレームの枠内に嵌着される２枚の透明板と、額縁フレームの所定位置に取り付けられる係止部材とを備え、２枚の作品を表裏両面で掲示可能に設けた額縁において、前記額縁フレームを外枠と内枠による二重枠状に形成するとともに、その左右側辺部に貫設された支軸を支点として、前記内枠を所定範囲内で回動可能に形成し、またその内枠の上辺部に、透明板や作品の挿入口を設けて構成したことを特徴とする額縁。
【請求項２】
上記した内枠の挿入口に押止蓋を取り付けるとともに、上記した支軸を支点として、内枠を回転自在に構成したことを特徴とする請求項１に記載の額縁。
【請求項３】
上記した挿入口を内枠の一側辺部に設けるとともに、上辺部と下辺部に支軸を貫設し、その支軸を支点として、内枠を回転自在に構成したことを特徴とする請求項１に記載の額縁。
【発明の詳細な説明】
【技術分野】
【０００１】  本発明は、絵画や写真などの芸術作品およびその複製品、賞状等（これらを、説明の便宜上作品と総称する）を収めて掲示する額縁に係るものであり、さらに詳しくは、２枚の作品を表裏両面で掲示可能に設けた額縁に関するものである。
【背景技術】
【０００２】  従来、２枚の作品を表裏両面で掲示可能に設けた額縁としては、枠状の額縁の側面に開口部を設け、その開口部から裏板と２枚の透明板を挿入するようにした両面利用の額縁があった（例えば、特許文献１参照。）。また上端に吊り具を備えた主体と従体に透明画板を取り付け、その主体と従体の上部フレームをフック形に掛け止めるとともに、下部フレームに永久磁石を装着した構造の両面掲示式の吊り額縁も提案されていた（例えば、特許文献２参照。）。
【特許文献１】特開２００２−１４２９３８号公報（第２−３頁、図４）
【特許文献２】特開平６−６８５６５号公報（第２頁、図１）
【発明の開示】
【発明が解決しようとする課題】
【０００３】  上記した特許文献１の両面利用の額縁は、額縁の一方の側面が開口されていて、挿入される透明板等を、他側面と底面のＬ字型段差部で保持するように構成されているので、透明板等が額縁内で動き易く、また左右が不均衡なために絵画等を安定して掲示し難いという欠点があった。【０００４】  また上記した特許文献２の両面掲示式の吊り額縁は、機能性を重視した形状で宣伝広告や地図などの掲示には適しているが、見た目の上品さや高級感に欠けているので、絵画や書などの芸術作品の掲示には不向きである。【０００５】  さらに両特許文献の額縁は、フックや吊り具の取り付け場所が限定されているので、掲示可能な作品が横長状のものに限定されてしまい、縦長状の作品を掲示する場合（またはその逆の場合）には、対応可能な他の額縁を使用しなければならないという重大な問題点があった。【０００６】  そこで本発明は、額縁フレームを二重枠状に形成することにより、作品を安定して保持することができ、また掲示する作品に対応して縦型にも横型にも使用可能であるばかりでなく、上品さや高級感も備えて成る両面掲示可能な額縁の提供を目的とするものである。
【課題を解決するための手段】
【０００７】  上記の目的を達成するために、請求項１に記載の本発明は、枠状に形成された額縁フレームと、その額縁フレームの枠内に嵌着される２枚の透明板と、額縁フレームの上辺部と側辺部の一方または両方に取り付けられる係止部材とを備えて成るもので、前記額縁フレームを外枠と内枠による二重枠状に形成するとともに、その左右側辺部に貫設された支軸を支点として、内枠を所定範囲内で回動可能に形成し、またその内枠の上辺部に、透明板や作品の挿入口を設けた構成とするものである。【０００８】  また請求項２に記載した本発明は、上記した内枠の挿入口に押止蓋を取り付けるとともに、上記した支軸を支点として、内枠を回転自在に構成するものである。【０００９】  さらに請求項３に記載した本発明は、上記した挿入口を内枠の一側辺部に設けるとともに、上辺部と下辺部に支軸を貫設し、その支軸を支点として、内枠を回転自在に構成するものである。
【発明の効果】
【００１０】  本発明の額縁は、係止部材のみを設けた外枠と２枚の作品を保持する内枠との二重枠状に形成されていて、所望に応じて、表側の作品と裏側の作品を簡易迅速に変換することができるという効果があるばかりでなく、作品を安定した状態で掲示することができるという効果があり、さらに額縁の取り付け位置によっては、前方と後方の二方向から２種類の作品を鑑賞することができるという効果もある。また掲示する作品を入れ替える場合に、内枠を前方へ回動させるのみで簡単に出し入れすることができ、且つ掲示する作品に対応して、額縁を縦型でも横型でも使用することができるという従来技術にはない有益な長所を有している。なおまた本発明の額縁は、優美且つ豪華な外観を呈しているので、掲示する作品の価値を高めることができるという利点があるとともに、低コストでの大量生産が可能であるので、廉価な製品を市場に提供することができるという大きな利点もある。
【発明を実施するための最良の形態】
【００１１】  本発明は、外枠２と内枠３を連ねて二重枠状に設けた額縁フレーム１に、２枚の作品１２，１２を挟着した２枚の透明板４，４を嵌着し、２種類の作品を表裏両面で掲示可能な額縁であって、前記内枠３が、前後方向または左右方向に回動または回転するように構成されたものである。
【実施例１】
【００１２】  以下に、本発明における第１の実施例を図１および図２に基づいて説明するが、本発明で使用される額縁フレーム１は、木材の木目模様を生かした方形の枠状に形成されたもので、その前面および後面が開放された外枠２と内枠３を用いて、二重枠状に設けられたものである。該外枠２には、その上辺部２１と右側辺部２３（または左側辺部２４）のいずれかを選択して係止部材７が取り付けられるのであるが、本実施例では、上辺部２１の２ヶ所と右側辺部２３の２ヶ所に螺子穴８を形成し、その螺子穴８と螺合可能なフックを係止部材７として使用する構造になっている。この際に、額縁を横長状に使用する場合は、フックを上辺部２１の螺子穴８に取り付け、また額縁を縦長状に置き変える場合は、フックを上辺部２１から取り外して右側辺部２３の螺子穴８に取り付けるようにするものである。なお本発明で使用する係止部材７としては、上述のような螺子穴に螺合可能なフックに限定するものではないので、釘やピン、その他のあらゆる係止部材を使用しても差し支えない。【００１３】  内枠３は、図２に示すように、外枠２の内側にすっぽりと納まり、且つ外枠２に回動可能に取り付けられるものである。該内枠３の上辺部３１には、後述する透明板４，４および作品１２，１２の挿脱を行うための挿入口１０が形成されており、また該内枠３の下辺部３２と左右の側辺部３３，３４の内側には、透明板４，４および作品１２，１２を保持するための保持溝９が形成されている。したがって枠内に収容された透明板等は、このコ字状の保持溝９によって安定した状態で保持されるようになっている。【００１４】  また上記した外枠２の左右の側辺部２３，２４の中央には、それぞれ軸孔６Ａ，６Ａが穿設されており、また内枠３の左右の側辺部３３，３４の中央にも、それぞれ軸孔６Ｂ，６Ｂが穿設されていて、その各軸孔を貫通して支軸５，５が取り付けられている。この支軸５，５は、内枠３と外枠２を連結するとともに、内枠３を前後方向に回動（実施例２では回転）させる支点の役目を担うものである。【００１５】  上述したように、支軸５，５を介して外枠２に連結された内枠３は、図２の仮想線で示すように、その支軸５を支点として前後方向に回動可能に構成されている。この場合に、内枠３に収容された透明板等が飛び出すことを防止すべく、内枠３が所定範囲内（例えば３０°〜９０°程度）を前後方向へ回動するように、あらかじめ製造段階から設計されているが、内枠３を自由にしておいて、外枠２の適宜な位置に、図示しないストッパーを設けるようにしてもよい。【００１６】  なお２枚の透明板４，４としては、透明なガラス板または透明な合成樹脂板等が用いられるもので、その２枚の透明板の間に作品１２，１２を背中合わせに挟着し、その透明板を前記内枠３の挿入口１０から挿入すれば、両面掲示可能な額縁が完成する。また額縁内に収容した作品と別の作品を入れ替える場合は、内枠３を回動させて外枠２から離し、作品を入れ替えて元位置に復帰させるものとし、さらに表側の作品と裏側の作品を変更して掲示する場合は、額縁をいったん取り外して裏返すようにする。
【実施例２】
【００１７】  図３に示す本発明の第２の実施例は、支軸５を支点として、内枠３のみを垂直方向へ半回転させることにより、裏側の作品を表側へ（表側の作品を裏側へ）移動させるようにするものである。この場合に、上辺部３１に設けた挿入口１０に押止蓋１１を冠着させて、内枠の回転時における透明板等の飛び出しを防止するものとする。なお内枠３の回転は、回転方向が常に一定な一方向回転としてもよいが、回転方向を自由に変更できる両方向回転としてもよい。
【実施例３】
【００１８】  図４に示す第３の実施例は、外枠２と内枠３の支軸５を、それぞれの上辺部２１，３１と下辺部２２，３２の中央に貫設して、内枠３を水平方向に半回転させることによって、作品を表側または裏側へ移動させるものである。この場合は、挿入口１０を右側辺部３３または左側辺部３４に形成し、透明板等の挿脱を側面から行うものとする。なお内枠３の回転方向については、前実施例の場合と同様に、回転方向が常に一定な一方向回転としてもよいが、回転方向を自由に変更できる両方向回転としてもよい。【００１９】  本発明の額縁は、以上に説明したように、額縁フレーム１を外枠２と内枠３によって二重枠状に形成し、その内枠内に収容した作品１２，１２を表裏両面掲示するように構成したものである。そこで、表側の作品と裏側の作品を変換するに際して、第１実施例の場合は額縁の全体を裏返すようになっており、また第２実施例および第３実施例は、内枠３のみを回転させて変換するようになっている。なお額縁を壁際などに設置した場合は、一方側の作品のみを鑑賞することになるが、額縁を廊下の中央などに吊り下げれば、前方および後方の二方向から異なった作品を鑑賞することができる。
【図面の簡単な説明】
【００２０】
【図１】実施例１の額縁を示す分解斜視図である。
【図２】図１の額縁を組み立てた状態の正面図である。
【図３】実施例２の額縁の作動状態を示す正面図である。
【図４】実施例３の額縁の作動状態を示す正面図である。
【符号の説明】
【００２１】    １  額縁フレーム
２  外枠
３  内枠
４  透明板
５  支軸
７  係止部材
１０  挿入口
１１  押止蓋
１２  作品
２１，３１  上辺部
２２，３２  下辺部
２３，３３  右側辺部
２４，３４  左側辺部
【図１】
2005211610.tif 000003
【図２】
2005211610.tif 000004
【図３】
2005211610.tif 000005
【図４】
2005211610.tif 000006